(57)【要約】【課題】  端板４の木目などが外周囲から目視されて味わいの深いものとなり、また端材が有効活用されると共に、必要な強度が簡易に得られ、外気の温度変化や湿度変化によっても割れや曲がりの生じない家具用天板を提供する。【解決手段】  透視可能な上下一対の合成樹脂板１ａ、１ｂを有している。また一定厚さとされた端板４の多数枚が、上下一対の合成樹脂板１ａ、１ｂの間に、隣接状態の端板４の側面４ａ１、４ａ２同士を密接されるように配列されてなる配列層２を有している。さらに、配列層２の各端板４と合成樹脂板１ａ、１ｂとの間に存在して端板４と一対の合成樹脂板１ａ、１ｂとを必要な強度で固定状に結合する一方で、隣接した各対の端板４、４間において対向している対状の側面４ａ１、４ａ２に対しては許容限度を超える結合力を発揮するものとならない接着剤層３ａ、３ｂとを有している。【選択図】図１
2011172773.tif 000002
【特許請求の範囲】
【請求項１】
平行配置された透視可能な上下一対の合成樹脂板と、
前記上下一対の合成樹脂板の対向面に夫々塗布されて、硬化された接着剤層と、
前記上下一対の合成樹脂板の間に密接して配置される多数のひき板からなる配列層であって、ひき板の木目方向と厚さ方向が成す面において上下の前記接着剤層に至る多数の分離面が設けられた配列層とを有し、
前記配列層は、前記接着剤層により上下一対の合成樹脂板と結合していることを備えていることを特徴とする家具用天板。
【請求項２】
1つのひき板が前記合成樹脂板の一端から他端までの全範囲に渡る長さとされていることを特徴とする請求項１記載の家具用天板。
【請求項３】
一部又は全ての前記ひき板がこれの長さ方向において前記合成樹脂板の一端から他端まで到達していない短小板となっており、これら短小板とこれの長さ方向で隣接した他の短小板とがそれぞれの一端面を対向され非結合状態で密接された密接箇所を介してこれらの長さ方向の列に配置されており、前記ひき板配列層に前記密接箇所が複数存在するのそれぞれが隣接する列の他の前記密接箇所に対し離間した状態とされていることを特徴とする請求項１記載の家具用天板。
【請求項４】
透視可能な上下一対の合成樹脂板の一方面に夫々接着剤を塗布し、
一方の合成樹脂板の前記接着剤が塗布された面に、多数のひき板を、ひき板の木目方向と厚さ方向が成す面が互いの分離面となるように互いに密接して配置し、
前記一方の合成樹脂板に配置された多数のひき板の上に、前記他方の合成樹脂板の接着剤が塗布された面を被せ、
前記一対の合成樹脂板を前記ひき板を挟んで前記一対の合成樹脂板を押圧することを特徴とする家具用天板の製造方法。
【発明の詳細な説明】
【技術分野】
【０００１】
本発明は、丸太の製材で発生するような小片の木材からなるひき板を構成要素とした家具用天板とその製造方法に関する。
【背景技術】
【０００２】
家具用天板には、丸太を製材して形成された一枚の大きなひき板や、或いは、複数のひき板を接着してなる単一板状の集成材等が利用される。その表面に、合成樹脂材を塗布して表面加工している。一方、一枚の大きなひき板や集成材の表面に樹脂を塗布する代わりに、合成樹脂材を接着して表面処理を簡素化したものとして、例えば、特許文献１、２、３には、単板に合成樹脂材を接着させる技術が開示されている。
【０００３】
これら家具などの原料となる木材は、海外からの輸入木材が占めている。一方、国内産の木材は家屋の柱等に使用されるものの、原木から柱を製材したときに生じる半月状の余り木については、幅の狭い端板に加工して集成材として利用するか或いは梱包材等に利用する以外、利用先が殆ど無い現状である。
【先行技術文献】
【特許文献】
【０００４】
【特許文献１】特開平５−１９３０４９号公報
【特許文献２】特開平９−２６７４５９号公報
【特許文献３】特開平１−１３３７３３号公報
【発明の概要】
【発明が解決しようとする課題】
【０００５】
上記特許文献の技術によれば、合成樹脂材がひき板表面を覆ってしまうため、ひき板の表面の欠陥部位（例えば、節）の処理が不要となり、仕上げ作業が簡略化される。一方、製材などで発生した端材は、そのままでは使用できず、一旦集成材として、単板に加工しうえで合成樹脂材を張り合わせている。本発明は、あまり木から幅の狭い端板に加工されたひき板を利用し、安価に製造できるもの家具用天板を提供することを目的とする。
【課題を解決するための手段】
【０００６】
上記目的を達成するため、本発明に係る家具用天板は、平行配置された透視可能な上下一対の合成樹脂板と、前記上下一対の合成樹脂板の対向面に夫々塗布されて、硬化された接着剤層と、前記上下一対の合成樹脂板の間に密接して配置される多数のひき板からなる配列層であって、ひき板の木目方向と厚さ方向が成す面において上下の前記接着剤層に至る多数の分離面が設けられた配列層とを有し、前記配列層は、前記接着剤層により上下一対の合成樹脂板と結合していることを備えていることを特徴とする。
【０００７】
また、本発明に係る家具用天板の製造方法は、透視可能な上下一対の合成樹脂板の一方面に夫々接着剤を塗布し、一方の合成樹脂板の前記接着剤が塗布された面に、多数のひき板を、ひき板の木目方向と厚さ方向が成す面が互いの分離面となるように互いに密接して配置し、前記一方の合成樹脂板に配置された多数のひき板の上に、前記他方の合成樹脂板の接着剤が塗布された面を被せ、前記一対の合成樹脂板を前記ひき板を挟んで前記一対の合成樹脂板を押圧することを特徴とする。
【発明の効果】
【０００８】
本発明によれば、次のような効果が得られる。
商品としての集成材は、ひき板の接着や、表面の平滑化等にコストがかかっており、本発明では余り木を用いたひき板をそのまま利用するため安価な家具用天板とすることができる。ひき板同士は、厚さが揃ったものを利用するが、実際には夫々の間には多少の変位が存在する。この変位は接着剤が埋めてしまうため、ひき板自体の厚さの微小な調整が必要ない。また、節の凸凹も、接着剤が埋めてしまうため、パテによる修正の必要がない。
【０００９】
温度変化や湿度変化が生じたときは、端板に引張力や圧縮力が作用するようになるが、ひき板の側面同士が直接に接着されていないため、各ひき板の割れが抑制される。またひき板の表裏各側に合成樹脂板が接着されているため、ひき板の断面には対称的な応力が発生し、曲がりが抑制される。
【図面の簡単な説明】
【００１０】
【図１】本実施例に係る家具用天板を示す斜視図である。
【図２】上記家具用天板を示すもので一部が断面とされた全体平面図である。
【図３】上記家具用天板の一部を省略した側面図である。
【図４】上記家具用天板のひき板配列層の一部を示しＡは平面図でＢはｘ１−ｘ１部を示す断面図である。
【図５】上記家具用天の製造例を示す図である。
【図６】上記家具用天板の第１変形例でひき板配列層を示す平面図である。
【発明を実施するための形態】
【００１１】
以下、図面を参照して本発明の実施例を説明する。
【実施例１】
【００１２】
図１〜図３に示すように、本実施例に係る家具用天板（以下単に「家具用天板」と称す。）１００は、平行配置された透視可能な上下一対の合成樹脂板１ａ、１ｂと、これら一対の合成樹脂板１ａ、１ｂの間に位置された配列層２と、配列層２の表裏面と合成樹脂板１との間に存在してこれらを固定状に接着した接着剤層３ａ、３ｂとを備えている。
【００１３】
合成樹脂板１は、透視可能な性質を備えた平板であり、価格及び透明性の点からアクリル樹脂のものが好ましい。加工性、光学的性質、熱的性質、化学的性質、電気的性質、機械的性質などの各種性質がアクリル樹脂に準ずるものであれば、例えば塩化ビニル樹脂、ポリエステル樹脂などの他の材料が使用できる。厚さは家具用天板１００としての強度が確保されれば任意でよいが、１ｍｍ〜５ｍｍの範囲内である。
【００１４】
配列層２は、多数の端板４を単層状に且つ平面状に整然と配列する。各端板４は、丸太を製材するときなどに生成されるあまり木を整形加工されたひき板であって、それの木目の方向へ長く、かつ幅が狭く、表面を平滑化されている。本実施例では、それぞれの端板４は幅方向ａ１で対向した一対の側面４ａ１、４ａ２及び、一対の表裏面４ｂ１、４ｂ２が平行であり、長さ方向ａ２（木目方向）及び厚さ方向ａ３の双方に沿って切断されたときの断面の形状が長方形であって、幅ｂ１が厚さｂ２より大きい。他の端板４も幅ｂ１及び厚さｂ２は同一であり、全長を家具用天板１００の全長に及ぶものとなっている。各端板４の厚さｂ２は家具用天板１００の広さなどに応じて決定される。
【００１５】
このように形成された各端板４が長さ方向ａ２を揃えられ単層状且つ平面状に配列されている。このさい、各端板４はこれのひき出された木の内外に対応する表裏が配列順に交互に逆となるように配列することが好ましく、これにより吸湿に起因した配列層２の全体的な曲がり変形が緩和される。これら端板４は気乾状態で配列することで足りるのであるが、この配列時点では隣接した一対の端板４の側面４ａ１、４ａ２同士は密接された状態とされる。隣接した各対の端板４、４間において対向している対状の側面４ａ１、４ａ２の間（方向ａ２と方向ａ３の成す面）は、分離状態となっている。
【００１６】
接着剤層３ａ、３ｂは、配列層２の各端板４の表裏各面４ｂ１、４ｂ２とこれら各面に対応する側の合成樹脂板１ａ、１ｂとの間に存在して端板４と一対の合成樹脂板１ａ、１ｂとを結合する。この接着剤層３ａ、３ｂは、公知の液状の接着剤を塗布する。接着剤の材料としては、例えば酢酸ビニル樹脂、塩化ビニル樹脂、メタクリル樹脂、ポリエステル樹脂、水性ビニルウレタン樹脂、ポリウレタン樹脂、アクリル樹脂など多種のものがある。これら材料の選択においては、固形状態において透明性のものが良い。
【００１７】
上記した家具用天板１００の製造例について図５を用いて説明する。まず、水平台上に水平姿勢で置かれた一方の合成樹脂板１ａの片面上に接着剤ｐ（例えば、アクリル樹脂接着剤）を塗布する（図５Ａ）。
【００１８】
次に各端板４をその長さ方向ａ２を揃えながら、しかも隣接した端板４の側面４ａ１、４ａ２同士の間に合成樹脂板１ａの接着剤ｐが回り込まないように密接させなら、前記一方の合成樹脂板１ａ上に順次に載せ置いていく（図５Ｂ）。側面４ａ１、４ａ２同士の間は、結合していない状態とする（図５Ｃ）。そして、他方の合成樹脂板１ｂの片面上に接着剤ｐを塗布し、接着剤ｐ側を端板４の配列層に向けて合成樹脂板１ａ、１ｂを配置する（図５Ｄ）。次に上下の合成樹脂板１ａ、１ｂの厚さ方向ａ３の外方から押圧力Ｆを付与し、適当時間が経過するまでこの状態を保持する（図５Ｅ）。
【００１９】
押圧力を付与することにより、端板４は、厚さが揃ったものを利用するが、梱包材に使用するものを用いる場合は、実際には夫々の間には多少の変位が存在する。この変位は接着剤が埋めてしまうため、改めて端板４の表面を処理する必要が無い。また、端板４に節４ｃが存在する場合は、節４ｃに存在する空隙には接着剤が埋まり、節４ｃの凹凸に対するパテ盛り等の表面処理の必要がない。一方、圧縮をかけた際に、側面４ａ１、４ａ２同士の間は、互いに押し付けあうように作用されるため、接着剤が進入することが阻止される。
【００２０】
前記押圧力が付与された状態のまま適当時間が経過したとき、この押圧力は解放される。製造された家具用天板１００は、方向ａ２と方向ａ３の成す面において、上下の接着剤層３ａ、３ｂにまで至る多数の分離面を保有した配列層を有することとなる。なお、上記製造過程において、予定寸法の家具用天板１００よりも面積の大きな合成樹脂板１ａ、１ｂを用いた場合には、最終段階で外周囲を切断処理して予定寸法の家具用天板１００ができあがる。
【００２１】
このように形成された家具用天板１００は使用環境において、温度変化や湿度変化に晒されることになるが、この場合の作用について次に説明する。
【００２２】
先ず、温度が変化した場合についての作用を説明する。合成樹脂材１ａ、１ｂと端板４との線膨張係数は、端板４の幅方向ａ１で前者が大きく、外気温度が上昇することで、端板４にその幅方向の引張力が作用するようになる。この場合、端板４の側面４ａ１、４ａ２の相互間が分離状態であるため、隙間が開くのみである。従って、端板４内では、これに交叉する方向の大きな応力は発生せず、端板４の板内でその木目の方向に沿って割れるような現象は発生しない。これに対し、集成材を配列層２の代わりに使用した場合においては、集成材の材料中で弱いところに応力が集中し、集成材の板内でその木目の方向に沿って不規則に割れることになる。
【００２３】
また端板４には外気温度の上昇によって、長さ方向ａ２にも引張力が作用する。しかし、端板４はその長さ方向ａ２は木目の方向であることから割れなどが生じない。一方、外気温度が下降すると、端板４には逆に圧縮力が作用するようになるが、端板４は圧縮力には強靱に対抗できる性質を有しているため、割れなどの支障は生じない。
【００２４】
次に乾燥した場合、合成樹脂材１ａ、１ｂは殆ど変化がないが、端板４は湿度による形状変形が著しい。乾燥することで、端板４は長さ向ａ２にも収縮するが、幅方向ａ１の寸法変化が長さ方向ａ２のそれの十数倍となるため、幅方向ａ１での収縮が顕著である。この場合も、温度変化の場合と同様に配列層４が方向ａ２、ａ３の面で分離しているため、端板４に割れが発生することはない。
【００２５】
上記実施例においては、端板４が合成樹脂板１ａ，１ｂの一端から他端までの全範囲に渡る長さを有していたが、本実施例においては、図５に示すように、端板４が長さ方向ａ２において合成樹脂板１ａ、１ｂの一端から他端まで到達していない短小板４０となっている。これら短小板４０と長さ方向ａ２で隣接した他の短小板４とはそれぞれの一端面４０ｄ１、４０ｄ２を対向され且つ非結合状態に密接された密接箇所ｄ１を介してこれらの長さ方向ａ２の一線状に配列されている。このように形成された配列層２において接合箇所ｄ１が複数存在する場合には、接合箇所ｄ１のそれぞれが他の接合箇所ｄ１に対し必要距離だけ離間した状態とされる。一端面４０ｄ１、４０ｄ２の相互間にも、接着剤が用いられておらず、同じ位置に密接箇所ｄ１が揃うと方向ａ２の曲げに弱くなるからである。
【００２６】
合成樹脂板１ａ，ｂとして、透明なものを利用したが、必要に応じて着色剤を混入するなどして、透明性を維持しつつ着色することにより、木材を着色したような風合いを出すことも可能である。
【符号の説明】
【００２７】
１ａ  合成樹脂板
１ｂ  合成樹脂板
２  配列層
３ａ  接着剤層
３ｂ  接着剤層
４  端板（短小板）
４ａ１  端板の一方の側面
４ａ２  端板の他方の側面
４ｂ１  端板の表面
４ｂ２  端板の裏面
ａ１  幅方向
ａ２  長さ方向
ａ３  厚さ方向
ｂ１  幅
ｂ２  厚さ
【図１】
2011172773.tif 000003
【図２】
2011172773.tif 000004
【図３】
2011172773.tif 000005
【図４】
2011172773.tif 000006
【図５】
2011172773.tif 000007
【図６】
2011172773.tif 000008